(57)【要約】【課題】振って混ぜる必要性を低減できる二液混合容器を提供する。【解決手段】二液混合容器１は、蓄圧ポンプ３を備える第１容器１ａと第２容器１ｂとを備え、第１容器１ａは、第２容器１ｂに収容された第２内容液Ｃ２に第１内容液Ｃ１を混合するために倒立姿勢で使用され、蓄圧ポンプ３は、吸込口５とシリンダ６とを有する固定部７と、第２容器本体４の口部４ａに押当てられる押当て部８とピストン９と噴出口１０とを有するとともに固定部７に対して進退可能な作動部１１と、固定部７と作動部１１とによって、吸込口５から噴出口１０までの流路Ｒに区画されるポンプ室１２と、を備え、シリンダ６の内周面には、作動部１１の前進に伴ってピストン９との間に流路Ｒの一部を形成する凹部２３が設けられている。【選択図】図１
2020001789.tif 000002
【特許請求の範囲】
【請求項１】
第１内容液を収容する収容空間に連なる筒状の口部を有する第１容器本体と蓄圧ポンプとを備える第１容器と、
第２内容液を収容する収容空間に連なる筒状の口部を有する第２容器本体を備える第２容器と、を備え、
前記第１容器は、前記第２容器に収容された前記第２内容液に前記第１内容液を混合するために倒立姿勢で使用され、
前記蓄圧ポンプは、
前記第１容器本体の前記口部に固定されるとともに前記第１内容液の吸込口とシリンダとを有する固定部と、
前記第２容器本体の前記口部に押当てられる押当て部と前記シリンダの内周面を摺動可能なピストンと前記第１内容液の噴出口とを有するとともに前記固定部に対して前記シリンダの軸方向に進退可能な作動部と、
前記固定部と前記作動部とによって、前記吸込口から前記噴出口までの流路に区画されるとともに、前記作動部の前進によって容積が減少し、前記作動部の後退によって容積が増加するポンプ室と、
前記ポンプ室より上流側に位置する逆流防止部と、を備え、
前記シリンダの内周面には、前記作動部の前進に伴って前記ピストンとの間に前記流路の一部を形成する凹部が設けられている、
二液混合容器。
【請求項２】
前記作動部は、
前記ピストンを有するピストン部材と、
前記ピストン部材に取付けられることで前記ピストン部材との間に前記流路の他の一部を形成するとともに前記押当て部を有する押当て部材と、を備える、
請求項１に記載の二液混合容器。
【請求項３】
前記ポンプ室の内部には、空気を前記ポンプ室の内圧の昇降に応じて伸縮可能に収容する空気室が設けられている、請求項１又は２に記載の二液混合容器。
【請求項４】
前記固定部は、
前記シリンダから径方向内側に延在するとともに前記吸込口を有する頂壁と、
前記頂壁から垂下するとともに前記吸込口を包囲する筒状をなす筒壁と、
前記逆流防止部を構成する弁体を有するとともに前記筒壁の内側に嵌合する弁部材と、を備え、
前記空気室は、前記筒壁の外周面と前記頂壁の下面と前記シリンダの内周面とによって区画される、
請求項３に記載の二液混合容器。
【請求項５】
前記第１容器本体は、前記第１内容液を空気と置換することなく前記蓄圧ポンプの前記噴出口から噴出可能な密封容器である、請求項１〜４のいずれか一項に記載の二液混合容器。
【請求項６】
内容液を収容する収容空間に連なる筒状の口部を有する容器本体と蓄圧ポンプとを備え、
前記内容液を他の容器の容器本体が有する筒状の口部に連なる収容空間に収容された他の内容液に混合するために倒立姿勢で使用され、
前記蓄圧ポンプは、
前記容器本体の前記口部に固定されるとともに前記内容液の吸込口とシリンダとを有する固定部と、
前記他の容器本体の前記口部に押当てられる押当て部と前記シリンダの内周面を摺動可能なピストンと前記内容液の噴出口とを有するとともに前記固定部に対して前記シリンダの軸方向に進退可能な作動部と、
前記固定部と前記作動部とによって、前記吸込口から前記噴出口までの流路に区画されるとともに、前記作動部の前進によって容積が減少し、前記作動部の後退によって容積が増加するポンプ室と、
前記ポンプ室より上流側に位置する逆流防止部と、を備え、
前記シリンダの内周面には、前記作動部の前進に伴って前記ピストンとの間に前記流路の一部を形成する凹部が設けられている、
二液混合用噴出容器。
【発明の詳細な説明】
【技術分野】
【０００１】
本発明は、二液混合容器及び二液混合用噴出容器に関する。
【背景技術】
【０００２】
第１内容液を収容する第１容器と第２内容液を収容する第２容器とを備え、第２内容液に第１内容液を混合するために第１容器が倒立姿勢で使用される二液混合容器としては、例えば特許文献１に記載されるようなものが知られている。特許文献１に記載される二液混合容器は、倒立姿勢にした第１容器の口部を正立姿勢の第２容器の口部に取り付け、第１内容液の自重によって第１内容液を第２容器に導入するように構成されている。
【先行技術文献】
【特許文献】
【０００３】
【特許文献１】特開平９−２５４９８８号公報
【発明の概要】
【発明が解決しようとする課題】
【０００４】
前述したような従来の二液混合容器は、第１内容液を第２容器の内部に導入した後に第２容器を振って混ぜる必要があり、使用性に改善の余地があった。また、例えば炭酸などの振って混ぜることが困難な内容液に対して混合する場合には、できるだけ振らずに混合できることが望ましい。
【０００５】
本発明の目的は、振って混ぜる必要性を低減でき、容易に混合可能な二液混合容器及び二液混合用噴出容器を提供することにある。
【課題を解決するための手段】
【０００６】
本発明の一態様に係る二液混合容器は、
第１内容液を収容する収容空間に連なる筒状の口部を有する第１容器本体と蓄圧ポンプとを備える第１容器と、
第２内容液を収容する収容空間に連なる筒状の口部を有する第２容器本体を備える第２容器と、を備え、
前記第１容器は、前記第２容器に収容された前記第２内容液に前記第１内容液を混合するために倒立姿勢で使用され、
前記蓄圧ポンプは、
前記第１容器本体の前記口部に固定されるとともに前記第１内容液の吸込口とシリンダとを有する固定部と、
前記第２容器本体の前記口部に押当てられる押当て部と前記シリンダの内周面を摺動可能なピストンと前記第１内容液の噴出口とを有するとともに前記固定部に対して前記シリンダの軸方向に進退可能な作動部と、
前記固定部と前記作動部とによって、前記吸込口から前記噴出口までの流路に区画されるとともに、前記作動部の前進によって容積が減少し、前記作動部の後退によって容積が増加するポンプ室と、
前記ポンプ室より上流側に位置する逆流防止部と、を備え、
前記シリンダの内周面には、前記作動部の前進に伴って前記ピストンとの間に前記流路の一部を形成する凹部が設けられている。
【０００７】
本発明に係る二液混合容器は、
前記作動部が、
前記ピストンを有するピストン部材と、
前記ピストン部材に取付けられることで前記ピストン部材との間に前記流路の他の一部を形成するとともに前記押当て部を有する押当て部材と、を備えてもよい。
【０００８】
本発明に係る二液混合容器は、前記ポンプ室の内部に、空気を前記ポンプ室の内圧の昇降に応じて伸縮可能に収容する空気室が設けられていてもよい。
【０００９】
本発明に係る二液混合容器は、
前記固定部が、
前記シリンダから径方向内側に延在するとともに前記吸込口を有する頂壁と、
前記頂壁から垂下するとともに前記吸込口を包囲する筒状をなす筒壁と、
前記逆流防止部を構成する弁体を有するとともに前記筒壁の内側に嵌合する弁部材と、を備えてもよく、
前記空気室が、前記筒壁の外周面と前記頂壁の下面と前記シリンダの内周面とによって区画されてもよい。
【００１０】
本発明に係る二液混合容器は、前記第１容器本体が、前記第１内容液を空気と置換することなく前記蓄圧ポンプの前記噴出口から噴出可能な密封容器であってもよい。
【００１１】
本発明の一態様に係る二液混合用噴出容器は、
内容液を収容する収容空間に連なる筒状の口部を有する容器本体と蓄圧ポンプとを備え、
前記内容液を他の容器の容器本体が有する筒状の口部に連なる収容空間に収容された他の内容液に混合するために倒立姿勢で使用され、
前記蓄圧ポンプは、
前記容器本体の前記口部に固定されるとともに前記内容液の吸込口とシリンダとを有する固定部と、
前記他の容器本体の前記口部に押当てられる押当て部と前記シリンダの内周面を摺動可能なピストンと前記内容液の噴出口とを有するとともに前記固定部に対して前記シリンダの軸方向に進退可能な作動部と、
前記固定部と前記作動部とによって、前記吸込口から前記噴出口までの流路に区画されるとともに、前記作動部の前進によって容積が減少し、前記作動部の後退によって容積が増加するポンプ室と、
前記ポンプ室より上流側に位置する逆流防止部と、を備え、
前記シリンダの内周面には、前記作動部の前進に伴って前記ピストンとの間に前記流路の一部を形成する凹部が設けられている。
【発明の効果】
【００１２】
本発明によれば、振って混ぜる必要性を低減でき、容易に混合可能な二液混合容器及び二液混合用噴出容器を提供することができる。
【図面の簡単な説明】
【００１３】
【図１】本発明の一実施形態に係る二液混合容器の第１容器（二液混合用噴出容器）を不使用時の倒立状態で示す一部断面側面図である。
【図２】図１に示す第１容器を、開閉蓋を取外して第２容器の容器本体の口部に載せ、押下げを開始したときの状態で示す断面図である。
【図３】図２の状態からさらに第１容器を押下げて、第１内容液を第２内容液に混合している状態を示す一部断面側面図である。
【図４】図３の一部拡大図である。
【図５】図４の一部拡大図である。
【発明を実施するための形態】
【００１４】
以下、図面を参照して、本発明の実施形態に係る二液混合容器及び二液混合用噴出容器について詳細に例示説明する。なお、上下方向は、第１容器については倒立状態を基準とし、第２容器については正立状態を基準とする。すなわち、第１容器について上方とは、例えば図１における上方を意味し、下方とはその反対方向を意味する。また、第２容器について上方とは、例えば図３における上方を意味し、下方とはその反対方向を意味する。また、単に「軸方向」というときは、後述するシリンダの軸方向を意味する。同様に、単に「径方向」というときは、シリンダの径方向を意味する。
【００１５】
図１〜図３に示すように、本実施形態に係る二液混合容器１は、第１容器（本実施形態に係る二液混合用噴出容器）１ａと第２容器１ｂとを備えている。第１容器１ａは、図１に示すように、不使用時には倒立姿勢で保管できるように構成されている。また、第１容器１ａは、図２〜図３に示すように、第２容器１ｂに収容された第２内容液Ｃ２に、第１容器１ａに収容された第１内容液Ｃ１を混合するために、倒立姿勢で使用されるように構成されている。
【００１６】
図１に示すように、第１容器１ａは、第１容器本体２と蓄圧ポンプ３とを備えている。第１容器本体２は、円筒状の口部２ａと、口部２ａに一端が連なる胴部２ｂと、胴部２ｂに連なる底部２ｃと、を有している。底部２ｃは、第１容器本体２が誤って正立状態で保管されることがないように、略円錐形状をなしている。しかし、第１容器本体２の形状は適宜変更が可能であり、例えば、第１容器本体２は、正立姿勢での接地部と成り得る底部を有するボトル形状をなしていてもよい。第１容器本体２の内側には、第１内容液Ｃ１を収容する収容空間Ｓ１が形成されている。口部２ａは収容空間Ｓ１に連なっている。口部２ａの外周面には、蓄圧ポンプ３を螺合によって取付けるための雄ねじが設けられている。しかし、口部２ａの外周面には、このような雄ねじに替えて、蓄圧ポンプ３を打栓によって取付けるための凸部又は凹部が設けられてもよい。
【００１７】
第１容器本体２は、ブロー成形によって形成され、第１内容液Ｃ１の収容空間Ｓ１を内側に区画するとともに第１内容液Ｃ１の噴出に伴って容積を減少させるように変形可能な内層体Ｌ１と、内層体Ｌ１を内側に収容する外層体Ｌ２と、内層体Ｌ１と外層体Ｌ２との間に外気を導入可能な外気導入口（図示省略）と、を備える積層剥離容器（デラミ容器）として構成されている。なお、外気導入口は、第１容器本体２の例えば底部２ｃ又は口部２ａに設けることができる。第１容器本体２を積層パリソンの押出ブロー成形（ＥＢＭ：Ｅｘｔｒｕｓｉｏｎ  Ｂｌｏｗ  Ｍｏｌｄｉｎｇ）によって形成する場合には、第１容器本体２の底部２ｃに割り金型の挟み込みによって形成される外層体Ｌ２の底割れ状のスリットを外気導入口とすることができる。口部２ａに外層体Ｌ２の貫通孔を設け、当該貫通孔で外気導入口を構成してもよい。第１容器本体２は、押出しブロー成形によって形成される積層剥離容器に限られず、例えば、有底筒状の積層構造のプリフォームを二軸延伸ブロー成形して形成される積層剥離容器であってもよい。また、第１容器本体２は、積層剥離容器以外の二重容器であってもよい。すなわち、第１容器本体２は、内層体Ｌ１と外層体Ｌ２とを別々に形成した後に組み合わせて形成されるものであってもよい。このように、本実施形態の第１容器本体２は、第１内容液Ｃ１を空気と置換することなく蓄圧ポンプ３の噴出口１０から噴出可能な密封容器として構成されている。第１容器本体２は、上述したような二重容器以外の密封容器であってもよく、例えば、第１内容液Ｃ１の噴出に伴って、容器本体内部に配置された中皿が収容空間Ｓ１の容積を減少させるように移動可能な中皿式容器であってもよい。また、第１容器本体２は、上記のような密封容器に限られず、例えば、第１内容液Ｃ１の取出しに伴って外気を収容空間Ｓ１に導入する一方、収容空間Ｓ１からの第１内容液Ｃ１の漏出を防止する逆止弁構造を有するもの等であってもよい。
【００１８】
図３に示すように、第２容器１ｂは、第２容器本体４と有頂円筒形状のキャップ（図示省略）とを備えている。第２容器本体４は、円筒状の口部４ａと、口部４ａに連なる胴部４ｂと、胴部４ｂに連なる底部４ｃとを有するボトル形状をなしている。第２容器本体４の内側には、第２内容液Ｃ２を収容する収容空間Ｓ２が形成されている。口部４ａは収容空間Ｓ２に連なっている。口部４ａの外周面には、キャップを螺合によって取付けるための雄ねじが設けられている。
【００１９】
第１容器１ａに収容される第１内容液Ｃ１としては、例えば、フレーバー、ウイスキー、シロップ又はミルクが挙げられるが、これらに限定されない。また、第２容器１ｂに収容される第２内容液Ｃ２としては、例えば、炭酸水等の炭酸飲料、水又はコーヒーが挙げられるが、これらに限定されない。また、第１内容液Ｃ１及び第２内容液Ｃ２は、飲料以外のものであってもよい。
【００２０】
図１に示すように、蓄圧ポンプ３は、第１容器本体２の口部２ａに固定されるとともに第１内容液Ｃ１の吸込口５とシリンダ６とを有する固定部７と、第２容器本体４の口部４ａに押当てられる（図２〜図３参照）押当て部８とシリンダ６の内周面を摺動可能なピストン９と第１内容液Ｃ１の噴出口１０とを有するとともに固定部７に対してシリンダ６の軸方向に進退可能な作動部１１と、を備えている。なお、「固定部７に対して進退可能」とは、固定部７に対して相対的に進退（昇降）可能であることを意味する。また、蓄圧ポンプ３は、固定部７と作動部１１とによって、吸込口５から噴出口１０までの流路Ｒに区画されるとともに、作動部１１の前進によって容積が減少し、作動部１１の後退によって容積が増加するポンプ室１２と、ポンプ室１２より上流側に位置する逆流防止部１３と、作動部１１を後退方向に付勢するコイルばね１４と、を備えている。なお、作動部１１の前進とは、固定部７に対する相対的な作動部１１の前進（上昇）を意味し、作動部１１の後退とは、固定部７に対する相対的な作動部１１の後退（下降）を意味する。さらに、蓄圧ポンプ３は、噴出口１０を開放可能に閉塞する開閉蓋１５を備えている。
【００２１】
固定部７は、第１容器本体２の口部２ａに取付けられる取付け部材１６と、取付け部材１６によって第１容器本体２の口部２ａに固定されるとともに吸込口５とシリンダ６とを有する筒状部材１７と、逆流防止部１３を構成する弁体１８ａを有する弁部材１８と、を備えている。また、作動部１１は、ピストン９を有するピストン部材１９と、ピストン部材１９に取付けられることでピストン部材１９との間に流路Ｒの一部（ピストン９から噴出口１０までの部分）を形成するとともに押当て部８及び噴出口１０を有する押当て部材２０と、を備えている。さらに、開閉蓋１５は、押当て部材２０に着脱可能な開閉蓋部材２１によって構成されている。なお、固定部７、作動部１１及び開閉蓋１５の部材構成は、適宜変更が可能である。各部材は、例えば合成樹脂製であってよいが、これに限られない。例えば、コイルばね１４は金属製であってもよい。
【００２２】
筒状部材１７は、円筒状のシリンダ６の上端から径方向内側に延在するとともに吸込口５を有する頂壁１７ａと、頂壁１７ａから垂下するとともに吸込口５を包囲する円筒状をなす筒壁１７ｂと、を備えている。筒壁１７ｂの内側には、弁部材１８が嵌合している。筒壁１７ｂの外周面と頂壁１７ａの下面とシリンダ６の内周面とにより、空気室２２が区画されている。空気室２２は、ポンプ室１２の内部で、空気をポンプ室１２の内圧の昇降に応じて伸縮可能に収容している。シリンダ６の内周面における上部には、作動部１１の前進に伴ってピストン９との間に流路Ｒの一部（ポンプ室１２とピストン９の下流側とを連ねる部分）を形成する凹部２３（図５参照）が設けられている。凹部２３は、周方向の複数箇所に設けられた上下方向に延在する縦溝で構成されている。しかし、凹部２３は、周方向の１箇所のみに設けられた縦溝で構成してもよい。筒壁１７ｂの下端には、ピストン９が前進によって筒壁１７ｂの下端に当接したときに筒壁１７ｂの径方向内側の空間と筒壁１７ｂの径方向外側の空間との連通を維持するための連通口１７ｃが周方向の複数箇所に設けられている。なお、連通口１７ｃは、周方向の１箇所のみに設けられてもよい。また、連通口１７ｃを設けなくてもよい。シリンダ６の下端には、シリンダ６より拡径した円筒状の下筒１７ｄの上端がテーパ壁を介して連結している。下筒１７ｄの外周面は、口部２ａの内周面に接している。下筒１７ｄの下端からは、径方向外側に水平円環状のフランジ１７ｅが延在している。フランジ１７ｅの上面は口部２ａの下端に接している。
【００２３】
弁部材１８は、円環状をなすとともに上面が頂壁１７ａの下面に当接した状態で外周面が筒壁１７ｂの内周面に嵌合する嵌合壁１８ｂを有している。嵌合壁１８ｂの内周面には、円板状の弁体１８ａの外周縁に連結する複数の連結片が連結している。しかし、弁体１８ａの外周縁と嵌合壁１８ｂの内周面とを単一の連結片で連結する構成であってもよい。弁体１８ａの上面には、吸込口５の外周縁における下面が密接している。
【００２４】
取付け部材１６は、第１容器本体２の口部２ａに取付けられる円筒状の取付け筒１６ａを有している。取付け筒１６ａの内周面には、口部２ａの外周面に設けられた雄ねじと螺合する雌ねじが設けられている。取付け筒１６ａの下端には、水平円環状の水平環状壁１６ｂの外周縁が連結している。水平環状壁１６ｂの上面は、フランジ１７ｅの下面に接している。水平環状壁１６ｂの内周縁からは、上方に向けて円筒状の内筒壁１６ｃが延在している。内筒壁１６ｃの上端からは、水平円環状の内向きフランジ１６ｄが径方向内側に向けて延在している。内向きフランジ１６ｄの内周縁には、軸方向に延在する円筒状の案内筒１６ｅが連結している。案内筒１６ｅの外周面における上端は、シリンダ６の内周面における下端に接している。
【００２５】
ピストン部材１９のピストン９は、略円筒状をなすとともに上部は上方に向けて徐々に拡径し、下部は下方に向けて徐々に拡径している。また、ピストン９の外周面における上端は、図１に示す不使用時、すなわち、作動部１１が前進を始める前の後端位置に位置する状態では、シリンダ６の内周面に軸方向に摺動可能に密接する一方、作動部１１が最も前進した前端位置に位置する状態では、図５に示すように、凹部２３においてシリンダ６の内周面との間に隙間を形成するように構成されている。ピストン９の外周面における下端は、作動部１１の位置に関わらずシリンダ６の内周面に軸方向に摺動可能に密接するように構成されている。ピストン９の上下方向中間部は、円環状の連結壁１９ａによって、円筒状の嵌合筒１９ｂの外周面における上端に連結されている。ピストン９、連結壁１９ａ及び嵌合筒１９ｂには、周方向の複数箇所においてこれらを径方向に貫通する貫通口２４が設けられている。しかし、貫通口２４は、周方向の１箇所のみに設けられてもよい。嵌合筒１９ｂの内周面における上端には、円板状の上壁１９ｃの外周縁が連結している。上壁１９ｃの中央には、下方に向けて僅かに縮径する棒状のピン１９ｄが垂設されている。
【００２６】
押当て部材２０は、嵌合筒１９ｂの外周面に嵌合する円筒状の嵌合筒壁２０ａを有している。嵌合筒壁２０ａの内周面における上下方向中間部からは、径方向内側に水平円環状の内向きフランジ２０ｂが延在している。内向きフランジ２０ｂの上面には、嵌合筒１９ｂの下面が接している。内向きフランジ２０ｂの内周縁には、上方に向けて僅かに縮径する円筒状の外筒壁２０ｃが立設されている。外筒壁２０ｃの外周面における下端は、嵌合筒１９ｂの内周面に密接している。外筒壁２０ｃの上端は、水平円環状の天壁２０ｄにより、円筒状の内筒壁２０ｅの上端と連結されている。内筒壁２０ｅの下端には、中央に噴出口１０を有する円板状のノズル先端壁２０ｆの外周縁が連結している。天壁２０ｄと上壁１９ｃとの間、及び内筒壁２０ｅとピン１９ｄとの間には、流路Ｒの一部を形成する隙間が形成されている。嵌合筒壁２０ａの下端には、水平円環状の押当て部８の内周縁が連結している。押当て部８には、円筒状の止め筒２０ｇが立設されている。止め筒２０ｇの内周面には、コイルばね１４の下端が当接又は近接している。コイルばね１４の上端は、内筒壁１６ｃと案内筒１６ｅとの間に位置している。押当て部８の外周縁には、円筒状の案内上壁２０ｈが立設されている。案内上壁２０ｈは、取付け筒１６ａの外周面と対向している。また、押当て部８の外周縁には、円筒状の案内下壁２０ｉが垂設されている。
【００２７】
開閉蓋部材２１は、案内下壁２０ｉより外径が大きく、内筒壁２０ｅより内径が大きい水平円環状の蓋板２１ａを有している。蓋板２１ａには、案内下壁２０ｉ内に着脱可能に嵌入される嵌入筒２１ｂが立設されている。また、蓋板２１ａの内周縁には、内筒壁２０ｅを密に嵌入可能な円筒状のシール筒２１ｃが立設されている。シール筒２１ｃの内周面における上部は、水平円板状の閉塞壁２１ｄによって閉塞されている。
【００２８】
本実施形態に係る二液混合容器１を用いて二液を混合する要領は以下のとおりである。まず、使用者は、案内下壁２０ｉから開閉蓋部材２１を取外して、図２に示すように、案内下壁２０ｉを第２容器本体４の口部４ａに被せ、押当て部８を口部４ａの上端に載せる。この状態で、使用者が第１容器本体２を押下げると、作動部１１が固定部７に対して前進してポンプ室１２の容積が減少し、ポンプ室１２の内圧が上昇する。
【００２９】
本実施形態では、ポンプ室１２に空気室２２が設けられているので、ポンプ室１２の蓄圧に伴って圧縮性流体である空気を圧縮しながら作動部１１を前進させることができる。したがって、第１容器本体２の押下げに必要となる操作力を低減し、使用性を向上することができる。
【００３０】
図５に示すように、作動部１１が前端位置に達すると、ピストン９がシリンダ６の凹部２３に達し、ポンプ室１２と流路Ｒにおけるピストン９より下流側の部分とが凹部２３を介して連通する。これにより、ポンプ室１２で蓄圧された第１内容液Ｃ１は、ポンプ室１２から、凹部２３、貫通口２４、及びピストン部材１９と押当て部材２０との間の部分を通って、図３〜図４に示すように、噴出口１０から噴出する。したがって、第１内容液Ｃ１は、第２容器本体４の収容空間Ｓ２に収容された第２内容液Ｃ２に勢い良く突入し、それにより、第２内容液Ｃ２と混合される。したがって、本実施形態に係る二液混合容器１によれば、第１内容液Ｃ１を第２容器本体４に導入した後に振って混ぜる必要性を低減することができる。また、第１容器本体２の押下げをフルストロークで行うことで、このフルストロークに対応する定量の第１内容液Ｃ１を第２容器本体４に導入することができる。したがって、本実施形態に係る二液混合容器１によれば、定量の混合を容易に行うことができる。
【００３１】
第１容器本体２の押下げを解除すると、コイルばね１４の付勢力によって作動部１１が後退し、ポンプ室１２の容積が増加してポンプ室１２の内圧が下降し、収容空間Ｓ１の内圧に対して負圧化する。当該負圧化により、弁体１８ａが頂壁１７ａから離れて、第１内容液Ｃ１が収容空間Ｓ１からポンプ室１２へと流入する。なお、このとき、空気室２２の内部で圧縮されていた空気は、当該負圧化に伴って空気室２２の内部で膨張する。
【００３２】
そして、二液混合容器１は、図２に示すような状態に復帰する。さらなる量の第１内容液Ｃ１を混合したい場合には、使用者はこの状態から、上述した第１容器本体２の押下げ操作を繰り返せばよい。
【００３３】
前述した本実施形態は、本発明の実施形態の一例にすぎず、発明の要旨を逸脱しない範囲で種々変更可能であることはいうまでもない。
【００３４】
例えば、前記の実施形態では、開閉蓋１５は、押当て部材２０と別体に構成されているが、押当て部材２０にヒンジを介して連結された構成であってもよい。また、開閉蓋１５を設けない構成としてもよい。
【符号の説明】
【００３５】
１  二液混合容器
１ａ  第１容器
１ｂ  第２容器
２  第１容器本体
２ａ  口部
２ｂ  胴部
２ｃ  底部
３  蓄圧ポンプ
４  第２容器本体
４ａ  口部
４ｂ  胴部
４ｃ  底部
５  吸込口
６  シリンダ
７  固定部
８  押当て部
９  ピストン
１０  噴出口
１１  作動部
１２  ポンプ室
１３  逆流防止部
１４  コイルばね
１５  開閉蓋
１６  取付け部材
１６ａ  取付け筒
１６ｂ  水平環状壁
１６ｃ  内筒壁
１６ｄ  内向きフランジ
１６ｅ  案内筒
１７  筒状部材
１７ａ  頂壁
１７ｂ  筒壁
１７ｃ  連通口
１７ｄ  下筒
１７ｅ  フランジ
１８  弁部材
１８ａ  弁体
１８ｂ  嵌合壁
１９  ピストン部材
１９ａ  連結壁
１９ｂ  嵌合筒
１９ｃ  上壁
１９ｄ  ピン
２０  押当て部材
２０ａ  嵌合筒壁
２０ｂ  内向きフランジ
２０ｃ  外筒壁
２０ｄ  天壁
２０ｅ  内筒壁
２０ｆ  ノズル先端壁
２０ｇ  止め筒
２０ｈ  案内上壁
２０ｉ  案内下壁
２１  開閉蓋部材
２１ａ  蓋板
２１ｂ  嵌入筒
２１ｃ  シール筒
２１ｄ  閉塞壁
２２  空気室
２３  凹部
２４  貫通口
Ｃ１  第１内容液
Ｃ２  第２内容液
Ｓ１、Ｓ２  収容空間
Ｌ１  内層体
Ｌ２  外層体
Ｒ  流路
【図１】
2020001789.tif 000003
【図２】
2020001789.tif 000004
【図３】
2020001789.tif 000005
【図４】
2020001789.tif 000006
【図５】
2020001789.tif 000007